(57)【要約】      （修正有）【課題】不測の力や振動等が加わってもインキカートリッジが印面収納部から不意に外れるのを防止してインキ漏れを防止することができる印判を提供する。【解決手段】印面１３を収納する印面収納部１１と、前記印面１３の上部にセットされる筒状のインキカートリッジを備えており、前記インキカートリッジの外壁面に形成した可撓性を有する爪片２と、前記印面収納部１１に設けた外側に向かって凹部を有する環状溝１５とが嵌合することによりインキカートリッジが固定される印判であって、前記環状溝１５には、前記爪片２を離脱するための切欠き部と、この切欠き部に向けて傾斜する傾斜面が形成されており、前記爪片２が傾斜面に沿って前記環状溝１５へ案内されることでカートリッジが印面収納部１１に固定される構造とした。【選択図】図２
2020131678.tif 000002
【特許請求の範囲】
【請求項１】
印面を収納する印面収納部と、前記印面の上部にセットされる筒状のインキカートリッジを備えており、
前記インキカートリッジの外壁面に形成した可撓性を有する爪片と、前記印面収納部に設けた外側に向かって凹部を有する環状溝とが嵌合することによりインキカートリッジが固定される印判であって、
前記環状溝には、前記爪片を離脱するための切欠き部と、この切欠き部に向けて傾斜する傾斜面が形成されており、前記爪片が傾斜面に沿って前記環状溝へ案内されることでカートリッジが印面収納部に固定される構造であることを特徴とする印判。
【請求項２】
環状溝の傾斜面の下方部には、カートリッジが印面収納部に装着された状態で爪片が傾斜面に侵入しにくくするための返し部が突設してある請求項１に記載の印判。
【発明の詳細な説明】
【技術分野】
【０００１】
本発明は、不測の力や振動等が加わってもインキカートリッジが印面収納部から不意に外れるのを防止してインキ漏れを防止することができる印判に関するものである。
【背景技術】
【０００２】
従来から、会社名や住所等を表示したり、製品名や品質等を表示したり、検査済みの検印を表示したりなど、様々な場所でスタンパが広く用いられている。この場合の印判は、インキを含浸させたインキ吸蔵体をスタンパ内に内蔵したものがほとんどである。
【０００３】
しかしながら、インキ吸蔵体を用いた場合は、インキ残量が目視で判断しにくい為、インキ吸蔵体へのインキ補充時期がわからず、印影が擦れてからインキ補充を行っていた。しかし、補充を行ってから印面にインキが移行するまで、ある程度の時間が必要であり、すぐに捺印できない等の問題があった。
【０００４】
一方、例えば特許文献１に示されるように、浸透式スタンプオイル供給装置において直液式のインキカートリッジを用いたものが提案されている。この特許文献１に記載のものでは、インキカートリッジをスタンプ本体に圧入嵌合することで固定する構造である。このため、捺印時の振動や不測の力が加わった場合にインキカートリッジが不意に外れるおそれがあり、この結果、インキ漏れが生じるという問題があった。
【先行技術文献】
【特許文献】
【０００５】
【特許文献１】実開昭６１−２２６５２号公報
【発明の概要】
【発明が解決しようとする課題】
【０００６】
本発明は上記のような従来の問題点を解決して、カートリッジを印面収納部に簡単に着脱操作することができ、しかも、カートリッジを取り付けた状態において振動や不測の力が加わった場合にもインキカートリッジが不意に外れるおそれがなくて、インキ漏れが生じるのを防止することができる印判を提供することを目的とする。
【課題を解決するための手段】
【０００７】
上記課題を解決するためになされた本発明の印判は、印面を収納する印面収納部と、前記印面の上部にセットされる筒状のインキカートリッジを備えており、
前記インキカートリッジの外壁面に形成した可撓性を有する爪片と、前記印面収納部に設けた外側に向かって凹部を有する環状溝とが嵌合することによりインキカートリッジが固定される印判であって、
前記環状溝には、前記爪片を離脱するための切欠き部と、この切欠き部に向けて傾斜する傾斜面が形成されており、前記爪片が傾斜面に沿って前記環状溝へ案内されることでカートリッジが印面収納部に固定される構造であることを特徴とするものであり、これを請求項１に係る発明とする。
【０００８】
好ましい実施形態によれば、環状溝の傾斜面の下方部には、カートリッジが印面収納部に装着された状態で爪片が傾斜面に侵入しにくくするための返し部が突設してあるものが好ましく、これを請求項２に係る発明とする。
【発明の効果】
【０００９】
請求項１に係る発明では、印面を収納する印面収納部と、前記印面の上部にセットされる筒状のインキカートリッジを備えており、前記インキカートリッジの外壁面に形成した可撓性を有する爪片と、前記印面収納部に設けた外側に向かって凹部を有する環状溝とが嵌合することによりインキカートリッジが固定される印判であって、前記環状溝には、前記爪片を離脱するための切欠き部と、この切欠き部に向けて傾斜する傾斜面が形成されており、前記爪片が傾斜面に沿って前記環状溝へ案内されることでカートリッジが印面収納部に固定される構造であるので、インキカートリッジの取り付けは爪片を撓ませて印面収納部の環状溝に嵌合させるだけの簡単な操作で行うことができる。また、インキカートリッジの取り付け時に、前記爪片を前記切欠き部に挿入した場合でも、前記爪片は前記切欠き部の傾斜面に沿って前記環状溝内に案内される為、インキカートリッジの回転角度を気にすることなく装着することが可能である。一方、インキカートリッジの離脱は爪片を回動させて切欠き部に位置合わせすると、前記爪片が前記傾斜面に沿って切欠き部に案内される為、カートリッジを引き上げる動作をせず前記印面収納部から離脱させることができる。以上より、インキカートリッジの脱着操作を簡素化できると同時に、インキカートリッジの爪片と環状溝とで嵌合させる為、振動や不測の力が加わったとしても不意に外れる可能性は極めて小さなものとなる。
【００１０】
また、請求項２に係る発明では、環状溝の傾斜面の下方部には、カートリッジが印面収納部に装着された状態で爪片が傾斜面に侵入しにくくするための返し部が突設してあるものとしたので、爪片に意識的に力を加えて返し部を乗り越えない限り切欠き部に位置合わせすることができず、不用意にインキカートリッジが外れるのをより確実に防止することができる。
【図面の簡単な説明】
【００１１】
【図１】本発明の実施の形態を示す斜視図である。
【図２】図１のＡ−Ａ断面図である。
【図３】インキカートリッジを示す斜視図である。
【図４】図３のＢ−Ｂ断面図である。
【図５】インキカートリッジと印面収納部を示す分解斜視図である。
【図６】印面収納部を示す平面図である。
【図７】印面収納部を示す正面図である。
【図８】図６のＣ−Ｃ断面図のうち、環状溝の部分だけ抽出した図である。
【発明を実施するための形態】
【００１２】
以下に、図面を参照しつつ本発明の好ましい実施の形態を示す。
図１は本発明の一例として直液式の印判を示す斜視図、図２は図１のＡ−Ａ断面図である。また、図３はインキカートリッジを示す斜視図、図４は図３のＢ−Ｂ断面図である。更に、図５はインキカートリッジと印面収納部を示す分解斜視図、図６は印面収納部の平面図、図７はその正面図である。
【００１３】
図１〜図２に示されるように、直液式の印判は下端の印面１３を昇降自在に収納するスライド式の印面収納部１１と、この印面収納部１１の上部を覆うホルダ１２を備えている。そして、前記ホルダ１２の押し下げ動作によってカバー１４が開かれるのと同時に印面１３が下降して露呈され、捺印可能な状態となる印判構造であるが、このような構造は従来のこの種の印判と基本的に同じである。なお、図示のものでは、印面収納部１１が昇降するタイプのものについて説明するが、昇降しないタイプのものでもよい。
【００１４】
前記印面収納部１１には、直液式のインキカートリッジ１が取り付けられている。このインキカートリッジ１の外壁面には、可撓性を有する爪片２が形成されており、この爪片２と前記印面収納部側に設けた外側に向かって凹部を有する環状溝とが嵌合することによりインキカートリッジが固定される構造となっている（この点については後述する）。また、図３〜図４に示されるように、前記爪片２は両側にスリットが入れられて中心に向けて僅かに撓むように構成されており、更に、外側下方部は徐々に縮径するテーパ面２ａとなっていて、インキカートリッジ１を下方に向けて押した場合はスムースに差し込み可能であるが、上方に向けて引き上げるとテーパ面２ａの上端段部２ｂが引っ掛かって抜けない構造となっている。ここでインキカートリッジとは、インキの貯蔵体と定義し、直液式のカートリッジのみならずインキ吸収体も含んでいる。
なお、図示のものでは、前記爪片２は直径位置に２個の爪片２が形成されているが、それ以上であってもよい。
【００１５】
前記インキカートリッジ１は、図２に示されるように、前記爪片２が印面収納部１１側に設けた外側に向かって凹部を有する水平な環状溝１５に嵌合することで固定される構造である。
即ち、印面収納部１１の上面にはインキカートリッジの挿入孔１６が形成されており、この孔に前記インキカートリッジ１を押し込んで装着するが、前記爪片２のテーパ面２ａによって案内されるので前記インキカートリッジの押込み操作により前記爪片２が撓み、前記環状溝に嵌まり込むため、装着が容易である。また、爪片２が環状溝１５に嵌合された後は、上端段部２ｂが引っ掛かって抜けないためインキカートリッジ１が不用意に外れることはない。
【００１６】
一方、インキカートリッジを交換する場合は、インキカートリッジ１を回動して爪片２の位置を切欠き部１７に位置に合わせる。図６に示されるように、切欠き部１７、１７は挿入孔１６の約４５度傾いた位置に設けられている。
【００１７】
また、図８に示されるように、前記環状溝１５には前記爪片２を離脱するための切欠き部１７に加えて、更に、この切欠き部１７に向けて上昇する傾斜面１５ｂが形成されており、前記爪片２が傾斜面１５ｂに沿って切欠き部１７へ案内されることでインキカートリッジ１が印面収納部１１から離脱される構造となっている。これにより、爪片２と切欠き部１７の位置に合わせを意識的に行わなくても、インキカートリッジ１を軸方向に回動させれば、爪片２は自動的に切欠き部１７に案内されて取り外しが可能となる。
【００１８】
更に、前記環状溝１５の傾斜面１５ｂの下方部には返し部１８を突設することもできる。これにより、前記カートリッジ１が前記印面収納部１１に装着された状態で爪片２を傾斜面１５ｂへ案内するには、前記返し部１８を乗り越えるように力を加える必要が生じるので、インキカートリッジ１が外れにくくなり不用意に外れる可能性が小さくなる。即ち、返し部１８を乗り越えるように意識的に力を加えた場合のみ爪片２を切欠き部１７へ案内することが可能となり、インキカートリッジ１が不用意に外れてインキ漏れを生じることをなくすことができる。
【００１９】
次に、上記のように構成した印判のインキカートリッジの着脱操作について説明する。
先ず、インキカートリッジを装着する場合は、インキカートリッジ１を印面収納部１１の上面の挿入孔１６に合わせて下方に押し込むと、爪片２のテーパ面２ａにより案内されてスムースに差し込みが完了する。万が一、前記爪片２を前記切欠き部１７に挿入した場合でも、前記爪片２は前記切欠き部１７の傾斜面１５ｂに沿って前記環状溝１５内に案内される為、インキカートリッジ１の回転角度を気にすることなく装着することが可能である。このように、爪片２が印面収納部１１の環状溝１５に嵌合され、この結果、インキカートリッジ１は確実に固定された状態で使用に供されることとなる。
なお、装着されたインキカートリッジ１を上方に向けて引き上げてもテーパ面２ａの上端段部２ｂが引っ掛かって抜けない構造となっているので、インキカートリッジ１が不用意に抜けることがなく、インキ漏れが生じることはない。
【００２０】
次に、インキカートリッジを取り外す場合は、インキカートリッジ１を回動して爪片２の位置を切欠き部１７に位置に合わせした後、インキカートリッジ１を軸方向に回動させれば、環状溝１５には前記切欠き部１７に向けて上昇する傾斜面１５ｂが形成されているので、爪片２は自動的に切欠き部１７に案内されて取り外しが行えることとなる。
【００２１】
更に、前記環状溝１５の水平面１５ａの下方部に返し部１８が突設してある場合は、この返し部１８を乗り越えるように意識的に力を加えた場合のみ爪片２を切欠き部１７へ案内することが可能となり、インキカートリッジ１が不用意に外れてインキ漏れを生じることをなくすことができる。
なお、以上の説明は直液式のインキカートリッジの印判について行ったが、これに限定されるものではなく、例えば含浸式のインキカートリッジについても同様に用いることができるのは勿論である。
【００２２】
以上の説明からも明らかなように、本発明はカートリッジを印面収納部に簡単に着脱操作することができ、しかも、カートリッジを取り付けた状態において振動や不測の力が加わった場合にもインキカートリッジが不意に外れるおそれがなくて、インキ漏れが生じるのを防止することができることとなる。
【符号の説明】
【００２３】
１  インキカートリッジ
２  爪片
２ａ  テーパ面
２ｂ  上端段部
１１  印面収納部
１２  ホルダ
１３  印面
１４  カバー
１５  環状溝
15ａ  水平面
15ｂ  傾斜面
１６  挿入孔
１７  切欠き部
１８  返し部
【図１】
2020131678.tif 000003
【図２】
2020131678.tif 000004
【図３】
2020131678.tif 000005
【図４】
2020131678.tif 000006
【図５】
2020131678.tif 000007
【図６】
2020131678.tif 000008
【図７】
2020131678.tif 000009
【図８】
2020131678.tif 000010